(57)【特許請求の範囲】
【請求項１】
第１および第２表示部と、
前記第１および第２表示部のそれぞれに対する入力を受け付ける第１および第２タッチパネルと、
前記第１および第２表示部の表示を制御するとともに、前記第１および第２タッチパネルを制御する制御部と、
スケジュール情報を記録する情報記録部と、を備えた電子機器であって、
前記制御部は、
前記第１表示部に、前記情報記録部から読み出した前記スケジュール情報を、日付に対応させてスケジュール一覧として表示するとともに、前記スケジュール一覧の何れかの日付が選択された場合に、当該日付に対応する前記スケジュール情報を前記第２表示部に表示し、前記第１表示部に、前記情報記録部から読み出した前記スケジュール情報を、日付に対応させてスケジュール一覧として表示し、前記第２表示部の表示内容が、前記第２表示部から前記第１表示部の前記スケジュール一覧の所定の日付の領域に前記第２タッチパネルにおけるドラッグにより移動された場合、前記第２表示部の表示内容を前記所定の日付に関連付けて前記スケジュール情報として記録する第１の機能を備えることを特徴とする、電子機器。
【請求項２】
前記制御部は、
前記第２表示部に、電子メールの確認画面を表示し、そこに表示されたテキストデータが前記ドラッグにより移動された場合に、前記所定の日付に関連付けて前記テキストデータを前記スケジュール情報として記録する、請求項１記載の電子機器。
【請求項３】
前記制御部は、
前記第２表示部に、電子メールの受信リストを表示し、当該受信リスト中の電子メールの項目が前記ドラッグにより移動された場合に、前記所定の日付に関連付けて前記電子メールの項目に該当するテキストデータを前記スケジュール情報として記録する、請求項１記載の電子機器。
【請求項４】
前記制御部は、
前記第２表示部に表示される前記受信リスト中の前記電子メールの項目が複数選択された場合、前記受信リストの各項目にチェックボックスを付加し、前記チェックボックスにチェックが入れられた順に、前記スケジュール情報として記録し表示する、請求項３記載の電子機器。
【請求項５】
前記制御部は、
前記第１表示部に、前記情報記録部から読み出した前記スケジュール情報を、日付に対応させて前記スケジュール一覧として表示するとともに、前記第２表示部に、テキストデータを編集可能な画面を表示し、前記スケジュール一覧の何れかの日付が選択された場合に、当該日付に対応する前記スケジュール情報を、前記スケジュール一覧上に重ねて表示し、
前記スケジュール情報が、前記第１表示部から前記第２表示部にドラッグにより移動された場合に、前記スケジュール情報のテキストデータを前記第２表示部に表示する第２の機能をさらに備える、請求項１記載の電子機器。
【請求項６】
前記制御部は、
前記スケジュール情報を、半透過のダイアログとして前記スケジュール一覧上に重ねて表示する、請求項５記載の電子機器。
【請求項７】
前記制御部は、
前記第１表示部に、前記情報記録部から読み出した前記スケジュール情報を、日付に対応させてスケジュール一覧として表示するとともに、前記スケジュール一覧の何れかの日付が選択された場合に、前記スケジュール一覧上に機能一覧を重ねて表示し、
前記機能一覧から選択された機能に基づいて、前記第２表示部に新たなアプリケーションを起動するとともに、前記スケジュール一覧において選択された前記日付に対応する前記スケジュール情報を前記新たなアプリケーションに移動して前記第２表示部に表示する第３の機能をさらに備える、請求項１記載の電子機器。
【請求項８】
前記機能一覧には、少なくとも、電子メールへの転送機能を含む、請求項７記載の電子機器。
【請求項９】
第１および第２表示部と、
前記第１および第２表示部のそれぞれに対する入力を受け付ける第１および第２タッチパネルと、
前記第１および第２表示部の表示を制御するとともに、前記第１および第２タッチパネルを制御する制御部と、
スケジュール情報を記録する情報記録部と、を備えた電子機器の制御方法であって、
前記第１表示部に、前記情報記録部から読み出した前記スケジュール情報を、日付に対応させてスケジュール一覧として表示させるとともに、前記スケジュール一覧の何れかの日付が選択された場合に、当該日付に対応する前記スケジュール情報を前記第２表示部に表示し、前記第１表示部に、前記情報記録部から読み出した前記スケジュール情報を、日付に対応させてスケジュール一覧として表示し、前記第２表示部の表示内容が、前記第２表示部から前記第１表示部の前記スケジュール一覧の所定の日付の領域に前記第２タッチパネルにおけるドラッグにより移動された場合、前記第２表示部の表示内容を前記所定の日付に関連付けて前記スケジュール情報として記録するように前記制御部により制御する電子機器の制御方法。
【請求項１０】
第１および第２表示部と、
前記第１および第２表示部のそれぞれに対する入力を受け付ける第１および第２タッチパネルと、
前記第１および第２表示部の表示を制御するとともに、前記第１および第２タッチパネルを制御する制御部と、
スケジュール情報を記録する情報記録部と、を備えた電子機器の前記制御部にインストールされた電子機器のアプリケーションプログラムであって、
前記第１表示部に、前記情報記録部から読み出した前記スケジュール情報を、日付に対応させてスケジュール一覧として表示させるとともに、前記スケジュール一覧の何れかの日付が選択された場合に、当該日付に対応する前記スケジュール情報を前記第２表示部に表示し、前記第１表示部に、前記情報記録部から読み出した前記スケジュール情報を、日付に対応させてスケジュール一覧として表示し、前記第２表示部の表示内容が、前記第２表示部から前記第１表示部の前記スケジュール一覧の所定の日付の領域に前記第２タッチパネルにおけるドラッグにより移動された場合、前記第２表示部の表示内容を前記所定の日付に関連付けて前記スケジュール情報として記録するように前記制御部を機能させる電子機器のアプリケーションプログラム。
【請求項１１】
第１および第２表示領域と、
前記第１および第２表示領域のそれぞれに対する入力を受け付ける第１および第２入力検出領域と、
前記第１および第２表示領域の表示を制御するとともに、前記第１および第２入力検出領域を制御する制御部と、
スケジュール情報を記録する情報記録部と、を備えた電子機器であって、
前記制御部は、
前記第１表示領域に、前記情報記録部から読み出した前記スケジュール情報を、日付に対応させてスケジュール一覧として表示するとともに、前記スケジュール一覧の何れかの日付が選択された場合に、当該日付に対応する前記スケジュール情報を前記第２表示領域に表示し、前記第１表示領域に、前記情報記録部から読み出した前記スケジュール情報を、日付に対応させてスケジュール一覧として表示し、前記第２表示領域の表示内容が、前記第２表示領域から前記第１表示領域の前記スケジュール一覧の所定の日付の領域に前記第２入力検出領域におけるドラッグにより移動された場合、前記第２表示領域の表示内容を前記所定の日付に関連付けて前記スケジュール情報として記録する機能を備えることを特徴とする、電子機器。
【発明の詳細な説明】
【技術分野】
【０００１】
本発明は、電子機器、電子機器の制御方法および電子機器のアプリケーションプログラムに関し、特に、携帯性を有する電子機器と、その制御方法およびアプリケーションプログラムに関する。
【背景技術】
【０００２】
例えばスマートフォン形式の携帯電話機では、タッチパネルに表示したソフトウエアキーボードにより文字入力を行うことが可能であるとともに、タッチパネルに指でタッチすることで、種々のアプリケーション（アプリ）を選択し、起動させることが可能である。
【０００３】
そのアプリケーションには、スケジュール管理を行うためのスケジュールアプリなども含まれている。スケジュールアプリの機能としては、画面に所望の月のカレンダーを表示し、カレンダー内の所望の日を指でタッチすることで、カレンダーの代わりに、その日のスケジュールを示したスケジュール画面を表示するといった機能が一般的である。
【０００４】
表示されたスケジュールを編集することも可能であり、タッチパネルに表示したソフトウエアキーボードにより文字入力や削除を行うことができる。
【０００５】
特許文献１には、カーナビゲーション装置にスケジュール情報を入力するスケジューラが開示され、そこにはタッチパネル機能を有する表示画面に、カレンダーとスケジュール画面とを同時に表示する例が開示されている。
【０００６】
当該スケジューラは車外に設けられるものであり、通信によりカーナビゲーション装置にスケジュール情報を与える装置であるので、表示画面を比較的大きくできるためにこのような表示が可能である。
【０００７】
しかし、一般に携帯電話機の画面は小さく、スマートフォン形式の携帯電話機であっても画面の大きさは限られており、スケジュールアプリのカレンダーを表示させた状態でスケジュールを編集することは難しく、カレンダーは隠した状態でソフトウエアキーボードやスケジュール画面を表示することとなる。このため、スケジュールアプリの機能が制限され、使い勝手が悪いという問題があった。
【先行技術文献】
【特許文献】
【０００８】
【特許文献１】特開２００７−２６９２６８号公報
【発明の概要】
【発明が解決しようとする課題】
【０００９】
本発明は上記のような問題点を解消するためになされたもので、携帯性を有し、スケジュールアプリの使い勝手の良い電子機器を提供することを目的とする。
【課題を解決するための手段】
【００１０】
上記課題を解決するため、本発明に係る電子機器は、第１および第２表示部と、前記第１および第２表示部のそれぞれに対する入力を受け付ける第１および第２タッチパネルと、前記第１および第２表示部の表示を制御するとともに、前記第１および第２タッチパネルを制御する制御部と、スケジュール情報を記録する情報記録部と、を備えた電子機器であって、前記制御部は、前記第１表示部に、前記情報記録部から読み出した前記スケジュール情報を、日付に対応させてスケジュール一覧として表示するとともに、前記スケジュール一覧の何れかの日付が選択された場合に、当該日付に対応する前記スケジュール情報を前記第２表示部に表示し、前記第１表示部に、前記情報記録部から読み出した前記スケジュール情報を、日付に対応させてスケジュール一覧として表示し、前記第２表示部の表示内容が、前記第２表示部から前記第１表示部の前記スケジュール一覧の所定の日付の領域に前記第２タッチパネルにおけるドラッグにより移動された場合、前記第２表示部の表示内容を前記所定の日付に関連付けて前記スケジュール情報として記録する第１の機能を備えている。
【００１２】
本発明に係る電子機器の一態様は、前記制御部が、前記第２表示部に、電子メールの確認画面を表示し、そこに表示されたテキストデータが前記ドラッグにより移動された場合に、前記所定の日付に関連付けて前記テキストデータを前記スケジュール情報として記録する。
【００１３】
本発明に係る電子機器の一態様は、前記制御部が、前記第２表示部に、電子メールの受信リストを表示し、当該受信リスト中の電子メールの項目が前記ドラッグにより転送された場合に、前記所定の日付に関連付けて前記電子メールの項目に該当するテキストデータを前記スケジュール情報として記録する。
【００１４】
本発明に係る電子機器の一態様は、前記制御部が、前記第２表示部に表示される前記受信リスト中の前記電子メールの項目が複数選択された場合、前記受信リストの各項目にチェックボックスを付加し、前記チェックボックスにチェックが入れられた順に、前記スケジュール情報として記録し表示する。
【００１５】
本発明に係る電子機器の一態様は、前記制御部が、前記第１表示部に、前記情報記録部から読み出した前記スケジュール情報を、日付に対応させて前記スケジュール一覧として表示するとともに、前記第２表示部に、テキストデータを編集可能な画面を表示し、前記スケジュール一覧の何れかの日付が選択された場合に、当該日付に対応する前記スケジュール情報を、前記スケジュール一覧上に重ねて表示し、前記スケジュール情報が、前記第１表示部から前記第２表示部にドラッグにより移動された場合に、前記スケジュール情報のテキストデータを前記第２表示部に表示する第２の機能をさらに備えている。
【００１６】
本発明に係る電子機器の一態様は、前記制御部が、前記スケジュール情報を、半透過のダイアログとして前記スケジュール一覧上に重ねて表示する。
【００１７】
本発明に係る電子機器の一態様は、前記制御部が、前記第１表示部に、前記情報記録部から読み出した前記スケジュール情報を、日付に対応させてスケジュール一覧として表示するとともに、前記スケジュール一覧の何れかの日付が選択された場合に、前記スケジュール一覧上に機能一覧を重ねて表示し、前記機能一覧から選択された機能に基づいて、前記第２表示部に新たなアプリケーションを起動するとともに、前記スケジュール一覧において選択された前記日付に対応する前記スケジュール情報を前記新たなアプリケーションに移動して前記第２表示部に表示する第３の機能をさらに備えている。
【００１８】
本発明に係る電子機器の一態様は、前記機能一覧には、少なくとも、電子メールへの転送機能を含んでいる。
【００１９】
本発明に係る電子機器の制御方法は、第１および第２表示部と、前記第１および第２表示部のそれぞれに対する入力を受け付ける第１および第２タッチパネルと、前記第１および第２表示部の表示を制御するとともに、前記第１および第２タッチパネルを制御する制御部と、スケジュール情報を記録する情報記録部とを備えた電子機器の制御方法であって、前記第１表示部に、前記情報記録部から読み出した前記スケジュール情報を、日付に対応させてスケジュール一覧として表示させるとともに、前記スケジュール一覧の何れかの日付が選択された場合に、当該日付に対応する前記スケジュール情報を前記第２表示部に表示し、前記第１表示部に、前記情報記録部から読み出した前記スケジュール情報を、日付に対応させてスケジュール一覧として表示し、前記第２表示部の表示内容が、前記第２表示部から前記第１表示部の前記スケジュール一覧の所定の日付の領域に前記第２タッチパネルにおけるドラッグにより移動された場合、前記第２表示部の表示内容を前記所定の日付に関連付けて前記スケジュール情報として記録するように前記制御部により制御する。
【００２０】
本発明に係る電子機器のアプリケーションプログラムは、第１および第２表示部と、前記第１および第２表示部のそれぞれに対する入力を受け付ける第１および第２タッチパネルと、前記第１および第２表示部の表示を制御するとともに、前記第１および第２タッチパネルを制御する制御部と、スケジュール情報を記録する情報記録部と、を備えた電子機器の前記制御部にインストールされた電子機器のアプリケーションプログラムであって、前記第１表示部に、前記情報記録部から読み出した前記スケジュール情報を、日付に対応させてスケジュール一覧として表示させるとともに、前記スケジュール一覧の何れかの日付が選択された場合に、当該日付に対応する前記スケジュール情報を前記第２表示部に表示し、前記第１表示部に、前記情報記録部から読み出した前記スケジュール情報を、日付に対応させてスケジュール一覧として表示し、前記第２表示部の表示内容が、前記第２表示部から前記第１表示部の前記スケジュール一覧の所定の日付の領域に前記第２タッチパネルにおけるドラッグにより移動された場合、前記第２表示部の表示内容を前記所定の日付に関連付けて前記スケジュール情報として記録するように前記制御部を機能させる。
【発明の効果】
【００２１】
本発明に係る電子機器によれば、スケジュール情報に関連する機能の操作性を向上することができる電子機器を得ることができる。
【図面の簡単な説明】
【００３２】
【図１】本発明に係る実施の形態の携帯無線端末の閉じた状態の外観を示す斜視図である。
【図２】本発明に係る実施の形態の携帯無線端末の閉じた状態の外観を示す斜視図である。
【図３】本発明に係る実施の形態の携帯無線端末の開いた状態の外観を示す斜視図である。
【図４】本発明に係る実施の形態の携帯無線端末の開いた状態の外観を示す斜視図である。
【図５】本発明に係る実施の形態の携帯無線端末の電気的な構成を示す図である。
【図６】本発明に係る実施の形態の携帯無線端末の開いた状態を示す平面図である。
【図７】本発明に係る実施の形態の携帯無線端末スケジュールアプリの動作例１を説明する図である。
【図８】本発明に係る実施の形態の携帯無線端末スケジュールアプリの動作例１を説明するフローチャートである。
【図９】本発明に係る実施の形態の携帯無線端末スケジュールアプリの動作例２を説明する図である。
【図１０】本発明に係る実施の形態の携帯無線端末スケジュールアプリの動作例２を説明するフローチャートである。
【図１１】本発明に係る実施の形態の携帯無線端末スケジュールアプリの動作例３を説明する図である。
【図１２】本発明に係る実施の形態の携帯無線端末スケジュールアプリの動作例４を説明する図である。
【図１３】本発明に係る実施の形態の携帯無線端末スケジュールアプリの動作例４を説明するフローチャートである。
【図１４】本発明に係る実施の形態の携帯無線端末スケジュールアプリの動作例５を説明する図である。
【図１５】本発明に係る実施の形態の携帯無線端末スケジュールアプリの動作例５を説明するフローチャートである。
【図１６】本発明に係る実施の形態の携帯無線端末スケジュールアプリの動作例６を説明する図である。
【図１７】本発明に係る実施の形態の携帯無線端末スケジュールアプリの動作例６を説明するフローチャートである。
【発明を実施するための形態】
【００３３】
＜実施の形態＞
以下、本発明に係る電子機器の実施の形態として、本発明を２画面の表示部に、それぞれタッチパネルを有する開閉式の携帯無線端末で実現する例について説明する。
【００３４】
＜外観構成＞
図１および図２は、本発明を実現する携帯無線端末１００の外観形状を示す図であり、図１は、携帯無線端末１００を閉じた状態で第１筐体１０側から見た場合の図であり、図２は、携帯無線端末１００を閉じた状態で第２筐体２０側から見た場合の図である。
【００３５】
ここで、閉じた状態とは、図１および図２に示すように、第１表示部１１が露出した状態で、第１筐体１０と第２筐体２０とが互いに重なるように配置された状態である。この場合、第１筐体１０の第１表示部１１と、第２筐体２０の第２表示部１２（図３）とは、間を開けて重なり合った状態となるので、両者のなす角度は０度と言うことができる。
【００３６】
また、図３および図４は、携帯無線端末１００を開いた状態で第１表示部１１および第２表示部１２側から見た場合の図であり、図３は、第１表示部１１および第２表示部１２が同一平面を構成するように完全に開いた状態を示し、図３は、第１表示部１１および第２表示部１２が、１８０度よりも小さい角度をなすように所定の角度で開いた状態を示している。
【００３７】
ここで、開いた状態とは、図３および図４に示すように、第１筐体１０の第１表示部１１と、第２筐体２０の第２表示部１２とが、０度よりも大きい角度をなすように第１筐体１０と第２筐体２０とが配置された状態を指し、図３および図４に示す状態に移行する途中の状態も開いた状態と言う。
【００３８】
図１〜図４に示されるように、第１筐体１０と第２筐体２０とは、ヒンジ部４およびアーム部５を介して連結されており、第２筐体２０側に設けられたヒンジ部４は、アーム部５を第２筐体２０に対して、角度変更可能に連結しており、アーム部５に第１筐体１０が角度変更可能に連結している。これにより、図１に示されるように、第１筐体１０が第１表示部１１を露出させた状態で第２筐体２０上に位置する状態から、図３に示されるように、第１筐体１０の第１表示部１１と、第２筐体２０の第２表示部１２とが同一平面を構成するように、第１筐体１０を移動させることが可能となる。
【００３９】
ここで、ヒンジ部４およびアーム部５の構成について説明する。図３に示すように、第２筐体２０は、その外面がフロントケース２１およびリアケース２２を組み合わせて構成されている。第２側筐体２０は、フロントケース２１側に、第２表示部１２を有するとともに、図２に示すように、ヒンジ部４と、ヒンジ部４を回転軸方向両側から把持する第１把持部４ａおよび第２把持部４ｂを有している。この、第１把持部４ａおよび第２把持部４ｂの回転軸方向外側には、それぞれ第１アーム５ａおよび第２アーム５ｂがヒンジ部４の回転軸に同軸をなすように係合している。なお、第１アーム５ａおよび第２アーム５ｂは図示されないビーム（梁）と一体をなし、第１アーム５ａ、第２アーム５ｂおよびビームを含んでアーム部５が構成されている。
【００４０】
ここで、第１筐体１０は、第１表示部１１を有するフロントケース１と、第１表示部１１が設けられた面とは反対の面（これを裏面と呼称する）を有するリアケース（図示せず）とを組み合わせて構成されており、図視されないビームは、第１筐体１０のリアケース側において、第１筐体１０の長手方向に延在するように設けられている。
【００４１】
第１アーム５ａおよび第２アーム５ｂの、第１把持部４ａおよび第２把持部４ｂとの係合部とは反対側の部分は、第１筐体１０の裏面において第１筐体１０と係合するが、当該係合部分は第１筐体１０を回動可能に構成されることで、第１筐体１０が角度変更可能となっている。
【００４２】
なお、第１筐体１０には、音声入力部としてのマイク１９や音声出力部としてのスピーカ１８が格納されており、マイク１９およびスピーカ１８は、第１表示部１１が露出する面の長手方向の両端部近傍に設けられている。
【００４３】
また、第１表示部１１および第２表示部１２は、それぞれタッチパネル機能を有しており、その機能は携帯無線端末１００内部の電気的な構成によって実現される。
【００４４】
＜内部構成＞
図５は携帯無線端末１００の電気的な構成を示すブロック図である。図５に示されるように、携帯無線端末１００は、第１表示部１１、第２表示部１２、音声入力部（マイク）１９、音声出力部（スピーカ）１８、制御部１３０、情報記憶部１４０、無線通信部１３１、第１タッチパネル１２３および第２タッチパネル１２４を備えている。なお、制御部１３０および無線通信部１３１は、例えば第２筐体２０内に収められている。
【００４５】
制御部１３０は、ＣＰＵ１３０ａおよび記憶部１３０ｂ等を備えており、携帯無線端末１００の他の構成要素を制御することによって、携帯無線端末１００の動作を統括的に管理する。なお、後に説明するスケジュールアプリケーションは、記憶部１３０ｂに格納されたアプリケーションプログラムをＣＰＵ１３０ａで実行することで動作する。
【００４６】
記憶部１３０ｂは、ＲＯＭおよびＲＡＭ等で構成されている。制御部１３０の各種機能は、ＣＰＵ１３０ａが記憶部１３０ｂ内の各種プログラムを実行することによって実現され、また、携帯無線端末１００で使用されるアプリケーションプログラム（アプリ）も格納されており、ユーザーが選択するアプリケーションプログラムを読み出してＣＰＵ１３０ａで実行する。なお、アプリケーションプログラムを格納する記憶部は、制御部１３０の外部に設けても良い。
【００４７】
また、情報記憶部１４０はアプリケーションプログラム（例えば、スケジュールアプリ）で使用する情報等のデータが格納され、ＣＰＵ１３０ａで実行するアプリケーションプログラムで使用する情報がここから読み出され、また、書き込まれる。
【００４８】
無線通信部１３１は、携帯無線端末１００とは別の携帯無線端末や、インターネットに接続されたＷｅｂサーバ等の通信装置からの無線信号をアンテナ１３１ａで受信し、受信信号に対して増幅処理やダウンコンバートを行って制御部１３０に出力する。また無線通信部１３１は、制御部１３０で生成された送信信号に対してアップコンバートや増幅処理を行って、処理後の送信信号を、アンテナ１３１ａを通じて、携帯無線端末１００とは別の携帯無線端末や、インターネットに接続された通信装置に対して無線送信する。
【００４９】
音声入力部１９は、外部から入力される音声を音声データに変換して制御部１３０に出力する。音声出力部１８は、制御部１３０からの音声データを音声に変換して外部に出力する。
【００５０】
第１表示部１１および第２表示部１２は、制御部１３０によって制御されることによって、文字、記号、図形などの各種情報を表示する。
【００５１】
また、第１タッチパネル１２３および第２タッチパネル１２４は、それぞれ第１表示部１１および第２表示部１２のタッチパネル機能を実現するための構成を表している。第１表示部１１は、第１タッチパネル１２３を有しており、第１タッチパネル１２３によるタッチパネル機能を介して、ユーザーの指による操作を検出して制御部１３０に出力する。第２表示部１２は、第２タッチパネル１２４を有しており、第２タッチパネル１２４によるタッチパネル機能を介して、ユーザーの指による操作を検出して制御部１３０に出力する。なお、上記ではタッチパネルに対してユーザーが指により操作を行うこととしたが、指に限らず、予め定められたタッチパネルに入力可能なペンやスライタスにより入力することとしてもよい。
【００５２】
なお、以下においてタップとは、タッチパネルに対してユーザーが指でタッチした後、所定時間内（例えば２秒未満）にタッチパネルから指を離す操作を指す。
【００５３】
また、ロングタップとは、ユーザーがタッチパネルの所定時間以上（例えば２秒以上）指を接触させた後にタッチパネルから指を離す操作を指す。
【００５４】
また、ドラッグとは、ユーザーがタッチパネル上に指を接触させたまま指を移動させる操作、もしくはユーザーがタッチパネル上に指を接触させたまま指を移動させた後、タッチパネルより指を離す操作を指す。
【００５５】
＜表示例＞
図６は、図５を用いて説明したＣＰＵ１３０ａが、記憶部１３０ｂ内のスケジュールアプリのプログラムを実行することで、第１表示部１１および第２表示部１２上に、それぞれスケジュール画面およびカレンダー画面を表示した状態を示している。図６においては、カレンダー画面は表示されているが、スケジュールを見る日付が指定されていないのでスケジュール画面は空欄となっている。
【００５６】
なお、この状態は携帯無線端末１００を第１表示部１１および第２表示部１２が同一平面を構成するように開いた状態で、第１筐体１０および第２筐体２０の長辺が水平となり、第２表示部１２が設けられた第２筐体２０が下側、第１表示部１１が設けられた第１筐体１０が上側となるように使用している。
【００５７】
なお、第１表示部１１のマイク１９が設けられた側の短辺の外側には、第１タッチパネル１２３により実現される複数のソフトウェアキーが表示される構成となっている。図６の例では、現在表示している画面より１つ前の画面を表示するバックキー１１１、各画面に対応したオプションメニューを表示させるメニューキー１１２およびホーム画面に戻るホームキー１１３を表示している。これらのキーは、第２表示部１２においてもバックキー１２１、メニューキー１２２およびホームキー１２３として第２タッチパネル１２４により実現される。なお、バックキー１１１、メニューキー１１２およびホームキー１１３は、携帯無線端末１００を閉じた状態で使用する場合に機能し、バックキー１２１、メニューキー１２２およびホームキー１２３は、携帯無線端末１００を開いた状態で使用する場合に機能するように構成されている。
【００５８】
＜動作例１＞
次に、図７および図８を用いて、携帯無線端末１００におけるスケジュールアプリの動作例１について説明する。
【００５９】
なお、以下においては、携帯無線端末１００を図６に示したように、第１表示部１１および第２表示部１２が同一平面を構成するように開いた状態で使用するものとして説明するが、図においては簡略化して示すものとする。
【００６０】
図７には、第１表示部１１および第２表示部１２上に、それぞれスケジュール画面およびカレンダー画面を表示した状態を示しており、図７の（ａ）には１月のカレンダー上において１５日の日付に対応する領域を指ＦＧでタップすることで、１５日のスケジュールがスケジュール画面に表示された状態を示している。なお、第１表示部１１および第２表示部１２の表示は、互いに入れ替わっても問題はない。
【００６１】
このように、携帯無線端末１００では２画面の表示部を有するので、スケジュール画面およびカレンダー画面を同時に表示でき、カレンダー上の日付に対応する領域をタップすることで、スケジュールを順次読み出すことができ、使い勝手が良い。
【００６２】
また、単にスケジュールを表示するだけでなく、表示されたスケジュールを編集する機能を持たせても良い。
【００６３】
図７の（ｂ）には１月のカレンダー上において１５日の日付に対応する領域を指ＦＧでタップすることで、１５日のスケジュールがスケジュール画面に表示され、さらに第１表示部１１のどこかをタップすることで第１表示部１１を選択し、編集が可能な状態とする。
【００６４】
図７の（ｂ）においては、編集対象領域上を指ＦＧでなぞることで編集対象領域を色を変えて表示した例を示しており、当該領域に示されているテキストデータを変更できる状態となる。
【００６５】
編集の方法としては、何れかのテキストをコピーして編集対象領域に貼り付ける場合には、指ＦＧの操作（編集対象領域のロングタップや編集対象領域から指を離す）でダイアログを表示させ、コピーやペーストを選択するという方法を採り、また、新たにテキストを書き込む場合は、第２表示部１２にソフトウェアキーボードを表示させ、キーボード入力により新たなテキストを書き込む方法を採る。
【００６６】
ここで、例えば、編集対象領域上を指でなぞり、編集対象領域の色が変わった後、指でタップすることでキーボードを表示させることができる。
【００６７】
図８には、スケジュールを編集する機能を有する場合の動作の流れをフローチャートで示している。
【００６８】
図８に示すように、まず、携帯無線端末１００のアプリケーション選択画面からスケジュールアプリを選択してスケジュールアプリを立ち上げる（ステップＳ１）。
【００６９】
次に、スケジュールアプリが終了されたか否かを確認し（ステップＳ２）、スケジュールアプリが終了された場合は動作を終了するが、スケジュールアプリが動作している場合は、デフォルト設定として、現在の月のスケジュール一覧を一方の表示部（ここでは第２表示部１２とする）に表示し、他方の表示部（ここでは第１表示部１１とする）には現在の日のスケジュールを表示させる（ステップＳ３）。
【００７０】
なお、現在の月のスケジュール一覧は、図７に示すようにその月のカレンダー画面として示すことが実用的である。
【００７１】
なお、デフォルトとしては、現在の月ではなく、現在の週のスケジュール一覧（週間カレンダー）でも良いし、現在の月だけでなく、翌月以降のスケジュール一覧を表示させるように設定しても良い。
【００７２】
デフォルト設定による表示がされた後、現在の月のスケジュール一覧（例えば、月間カレンダー）から、別の日付が選択された場合（ステップＳ４）、上記第１表示部１１には選択された日のスケジュールを表示する（ステップＳ８）。
【００７３】
第１表示部１１においてデフォルト設定による現在の日のスケジュールが表示されている場合でも、別の日付のスケジュールが表示されている場合でも、第１表示部１１において何らかの選択動作、例えば画面のタップによるダイアログ表示の有無や、指による編集対象領域の特定を確認し（ステップＳ５）、何らかの選択動作があった場合には、当該選択動作に対応する編集処理を行う（ステップＳ６）。
【００７４】
なお、予め定めた時間が経過しても、何らの選択動作もない場合は、スケジュールアプリを終了する。
【００７５】
一方、選択動作に対応する編集処理を行っている場合、編集中の画面とは別の画面、ここでは第２表示部１２がタップされた場合、あるいは編集中に第１表示部１１がダブルタップされた場合には編集が終了し（ステップＳ７）、ステップＳ２の動作に戻る。なお、上述した編集を終了させる動作を行わない場合は、編集状態を維持する。
【００７６】
＜動作例２＞
次に、図９および図１０を用いて、携帯無線端末１００におけるスケジュールアプリの動作例２について説明する。
【００７７】
図９の（ａ）には、第１表示部１１および第２表示部１２上に、それぞれ電子メール（Email）の確認画面およびカレンダー画面を表示した状態を示している。なお、第１表示部１１および第２表示部１２の表示は、互いに入れ替わっても問題はない。
【００７８】
電子メールで受信した会議の開催スケジュールが記載された確認画面を、指でタップして選択し、第２表示部１２のカレンダー画面の開催日に該当する日付に対応する領域（ここでは５日の領域）までドラッグして指を離すことで、電子メールの内容が５日のスケジュール情報として記録される。
【００７９】
このようにして記録された５日のスケジュールは、カレンダー画面から読み出すことができる。すなわち、図９の（ｂ）には、第１表示部１１および第２表示部１２上に、それぞれスケジュール画面およびカレンダー画面を表示した状態を示しており、第２表示部１２のカレンダー画面の５日の日付に対応する領域を指ＦＧでタップすることで、第１表示部１１に５日のスケジュールが表示される。ここでは、第１表示部１１には、電子メールで送られたテキストデータを、そのままスケジュールとして表示した例を示しているが、メールの本文を表示し、宛名や送信元の情報は表示しないことで簡潔な表示としても良い。
【００８０】
このように、電子メールのテキストデータを、スケジュール情報としてスケジュールアプリに取り込むことができるので、スケジュールの記載を簡便にできるという効果がある。
【００８１】
図１０は、上述した動作の流れを示すフローチャートである。図１０に示すように、まず、携帯無線端末１００のアプリケーション選択画面からスケジュールアプリを選択してスケジュールアプリを立ち上げる（ステップＳ１１）。
【００８２】
なお、動作例２においては、スケジュールアプリを選択するのに先立って、受信した電子メールの確認画面を第１表示部１１に表示し、スケジュールとして記録すべきという判断を携帯無線端末１００のユーザーが行っている局面を前提とし、スケジュールアプリの選択が行われる。
【００８３】
次に、スケジュールアプリが終了されたか否かを確認し（ステップＳ１２）、スケジュールアプリが終了された場合は動作を終了するが、スケジュールアプリが動作している場合は、デフォルト設定として、現在の月のスケジュール一覧を一方の表示部（ここでは第２表示部１２とする）に表示する。なお、現在の月のスケジュール一覧は、図９に示すようにその月のカレンダー画面として示すことが実用的である。
【００８４】
デフォルト設定による表示がされた後、スケジュール一覧を表示している画面とは別の画面、ここでは第１表示部１１から第２表示部１２へのドラッグの有無を検出する（ステップＳ１３）。ドラッグを検出しない場合はステップＳ１２以下の動作を繰り返す。
【００８５】
ドラッグを検出した場合は、ドラッグされたデータがテキストデータであるか否かを確認し（ステップＳ１４）、テキストデータである場合は、当該テキストデータを第２表示部１２に表示されるスケジュール一覧の、ドラッグ終了点に対応する日付のスケジュールとして記録する（ステップＳ１５）。テキストデータを記録した後は、ステップＳ１２以下の動作を繰り返す。
【００８６】
一方、ステップＳ１４において、ドラッグされたデータがテキストデータ以外である場合、例えば画像データなどである場合は、スケジュール情報としては適さないので、その旨をダイアログに表示するなどしてユーザーに通知し（ステップＳ１６）、ステップＳ１２以下の動作を繰り返す。
【００８７】
＜動作例３＞
次に、図１１を用いて、携帯無線端末１００におけるスケジュールアプリの動作例３について説明する。
【００８８】
図１１の（ａ）には、第１表示部１１および第２表示部１２上に、それぞれ電子メールの受信リストおよびカレンダー画面を表示した状態を示している。なお、第１表示部１１および第２表示部１２の表示は、互いに入れ替わっても問題はない。
【００８９】
電子メールの受信リスト中の所望の電子メールの項目１１１０を、指でタップして選択し、第２表示部１２のカレンダー画面のイベントの予定日に該当する日付に対応する領域（ここでは９日の部分）までドラッグして指を離すことで、当該項目１１１０に対応する電子メールの内容が９日のスケジュール情報として記録される。
【００９０】
このようにして記録された９日のスケジュールは、カレンダー画面から読み出すことができる。すなわち、図１１の（ｂ）には、第１表示部１１および第２表示部１２上に、それぞれスケジュール画面およびカレンダー画面を表示した状態を示しており、第２表示部１２のカレンダー画面の９日の日に対応する領域を指ＦＧでタップすることで、第１表示部１１に９日のスケジュールが表示される。ここでは、第１表示部１１には、電子メールで送られて来たテキストデータを、そのままスケジュールとして表示した例を示しているが、メールの本文だけを表示し、宛名や送信元の情報は表示しないことで簡潔な表示としても良い。
【００９１】
このように、電子メールのテキストデータを、スケジュール情報としてスケジュールアプリに取り込むことができるので、スケジュールの記載を簡便にできるという効果がある。
【００９２】
また、このような構成を採る場合、一度に複数の電子メールの内容をスケジュール情報として記録することも可能となる。すなわち、図１１の（ａ）における第１表示部１１に示されるように、電子メールの受信リストのうちスケジュール情報として取り込みたい電子メールの項目１１１０をそれぞれ指ＦＧでタップする。タップされた項目１１１０は、色を変えるなどして強調表示され、それらをまとめてイベントの予定日にまでドラッグすることで、複数の電子メールの内容を一度にスケジュール情報として取り込むことができる。
【００９３】
なお、上述した動作例３の動作の流れは、図１０を用いて説明した動作例２の動作の流れと同じであるので、説明は省略する。
【００９４】
＜動作例４＞
次に、図１２および図１３を用いて、携帯無線端末１００におけるスケジュールアプリの動作例４について説明する。
【００９５】
図１２の（ａ）には、第１表示部１１および第２表示部１２上に、それぞれ電子メールの受信リストおよびカレンダー画面を表示した状態を示している。なお、第１表示部１１および第２表示部１２の表示は、互いに入れ替わっても問題はない。
【００９６】
電子メールの受信リスト中の所望の電子メールの項目１１１０を、指でタップして選択し、第２表示部１２のカレンダー画面のイベントの予定日に該当する日付に対応する領域（ここでは９日の部分）までドラッグして指を離すことで、当該項目１１１０に対応する電子メールの内容が９日のスケジュール情報として記録される。
【００９７】
ここで、第１表示部１１に示される受信リストは、各項目１１１０にチェックボックスＢＸが付加されているが、これは、受信リストの中から複数の項目をタップした場合に表示され、ユーザーが誤って複数の項目をタップしたような場合でも、チェックボックスＢＸにチェックを入れない限り選択が確定したことにはならず、誤った項目の電子メールの内容をスケジュールとして取り込むことを防ぐ効果がある。
【００９８】
また、タップした複数の項目（強調表示されている）のうち、スケジュールとして表示する際の順序を指定する機能も担っている。すなわち、チェックボックスにチェックを入れた順番にスケジュールとして表示するように構成することで、任意の順序で電子メールのテキストデータを表示することが可能となる。
【００９９】
また、受信リストの中から複数の項目を選択して確定した場合、そのうちの何れかの項目をユーザーが指で選択してドラッグすると、確定した項目の全てがスケジュール情報として記録される。
【０１００】
なお、チェックボックスＢＸにチェックを入れるには、強調表示されている項目１１１０を再度指でタップすることで可能である。
【０１０１】
このようにして記録された９日のスケジュールは、カレンダー画面から読み出すことができる。すなわち、図１２の（ｂ）には、第１表示部１１および第２表示部１２上に、それぞれスケジュール画面およびカレンダー画面を表示した状態を示しており、第２表示部１２のカレンダー画面の９日の日に対応する領域を指ＦＧでタップすることで、第１表示部１１に９日のスケジュールが表示される。
【０１０２】
このように、複数の電子メールのテキストデータをスケジュール情報としてスケジュールアプリに取り込む場合、スケジュールとして表示する順序を予め指定することができるので、任意の順序で電子メールのテキストデータを表示することができ、同じ日に複数の予定があるような場合のスケジュールの作成および確認を容易に行うことができる。
【０１０３】
図１３は、上述した動作の流れを示すフローチャートである。図１３に示すように、まず、携帯無線端末１００のアプリケーション選択画面からスケジュールアプリを選択してスケジュールアプリを立ち上げる（ステップＳ２１）。
【０１０４】
なお、動作例４においては、スケジュールアプリを選択するのに先立って、受信した電子メールの受信リストを第１表示部１１に表示し、そこから、スケジュールとして記録すべき項目を携帯無線端末１００のユーザーが判断しているという局面を前提とし、スケジュールアプリの選択が行われる。
【０１０５】
次に、スケジュールアプリが終了されたか否かを確認し（ステップＳ２２）、スケジュールアプリが終了された場合は動作を終了するが、スケジュールアプリが動作している場合は、デフォルト設定として、現在の月のスケジュール一覧を一方の表示部（ここでは第２表示部１２とする）に表示する。なお、現在の月のスケジュール一覧は、図１３に示すようにその月のカレンダー画面として示すことが実用的である。
【０１０６】
デフォルト設定による表示がされた後、スケジュール一覧を表示している画面とは別の画面、ここでは第１表示部１１に表示される受信リストの中から複数の項目が選択されたか否かを判断する（ステップＳ２３）。
【０１０７】
そして、第１表示部１１において複数の電子メールの項目がタップされるなどして、複数の項目が選択されたと判断された場合は複数選択モードを起動する（ステップＳ２７）。この複数選択モードとは、受信リストの各項目のそれぞれについてチェックボックスＢＸを付加するとともに、チェックボックスＢＸにチェックを入れた順に対応する電子メールのテキストデータを記録し、また表示する機能を実行するモードである。
【０１０８】
複数選択モードが起動されることで、図１２の（ａ）に示されるように、受信リストの各項目１１１０にチェックボックスＢＸが付加される。
【０１０９】
そして、ユーザーが強調表示されている複数の項目を所望の順にタッチして、チェックボックスＢＸにチェックを入れると選択が確定する。
【０１１０】
そして、第１表示部１１に表示される受信リストの中から選択された項目が１つの場合、および受信リストの中から複数の項目を選択して確定した場合、第２表示部１２へのドラッグの有無を検出する（ステップＳ２４）。ドラッグを検出しない場合はステップＳ２２以下の動作を繰り返す。
【０１１１】
ドラッグを検出した場合は、ドラッグされたデータがテキストデータであるか否かを確認し（ステップＳ２５）、テキストデータである場合は、当該テキストデータを第２表示部１２に表示されるスケジュール一覧の、ドラッグ終了点に対応する日付のスケジュールとして記録する（ステップＳ２６）。ここで、複数の項目が選択されている場合は、複数選択モードにより、チェックを入れた順に対応する電子メールのテキストデータが記録される。テキストデータを記録した後は、ステップＳ２２以下の動作を繰り返す。
【０１１２】
一方、ステップＳ２５において、ドラッグされたデータがテキストデータ以外である場合、例えば画像データなどである場合は、スケジュール情報としては適さないので、その旨をダイアログに表示するなどしてユーザーに通知し（ステップＳ２８）、ステップＳ１２以下の動作を繰り返す。ここで、複数の項目を選択してドラッグする場合、その中にテキストデータ以外のデータを含む項目がある場合は、テキストデータ以外のデータを含んでいるので、その項目についてはスケジュールとしては使用しない旨を通知する。
【０１１３】
＜動作例５＞
次に、図１４および図１５を用いて、携帯無線端末１００におけるスケジュールアプリの動作例５について説明する。
【０１１４】
図１４の（ａ）には、第１表示部１１および第２表示部１２上に、それぞれカレンダー画面および電子メールの作成画面を表示した状態を示している。なお、第１表示部１１および第２表示部１２の表示は、互いに入れ替わっても問題はない。
【０１１５】
第１表示部１１上のカレンダー画面において、５日の日に対応する領域を指ＦＧでタップすることで、第１表示部１１に５日のスケジュールを示すダイアログＤＬが重ねて表示される。このダイアログＤＬは、カレンダー画面上に半透過領域となるように表示されており、ダイアログＤＬを通してカレンダー画面の日付を視認することができる。
【０１１６】
そして、ダイアログＤＬに表示されたスケジュールを確認し、その内容を電子メールの作成に使用できると判断した場合、図１４の（ｂ）に示すように、第１表示部１１上のカレンダー画面において、５日の日に対応する領域を指ＦＧでタッチして、第２表示部１２の電子メールの作成画面までドラッグして指を離すことで、５日のスケジュールを示すテキストデータがコピーされ、電子メールの作成画面に表示される。
【０１１７】
このように、スケジュールアプリに記録されたスケジュールを、カレンダー画面から読み出して、そのテキストデータを電子メールの作成に転用することで、スケジュールを記載する必要がある電子メールの作成を簡便に行うことができる。
【０１１８】
図１５は、上述した動作の流れを示すフローチャートである。図１５に示すように、まず、携帯無線端末１００のアプリケーション選択画面からスケジュールアプリを選択してスケジュールアプリを立ち上げる（ステップＳ３１）。
【０１１９】
なお、動作例５においては、スケジュールアプリを選択するのに先立って、例えば第２表示部１２で電子メールのアプリケーションを起動し、メール作成画面を表示して、これからスケジュールを含んだ電子メールを作成するという局面を前提としている。
【０１２０】
次に、スケジュールアプリが終了されたか否かを確認し（ステップＳ３２）、スケジュールアプリが終了された場合は動作を終了するが、スケジュールアプリが動作している場合は、デフォルト設定として、現在の月のスケジュール一覧を使用されていない方の表示部（ここでは第１表示部１１とする）に表示する。なお、現在の月のスケジュール一覧は、図１４に示すようにその月のカレンダー画面として示すことが実用的である。
【０１２１】
デフォルト設定による表示がされた後、スケジュール一覧を表示している画面とは別の画面、ここでは第２表示部１２において別のアプリケーションが起動しているか否かを判断する（ステップＳ３３）。そして、別のアプリケーションが起動していない場合にはステップＳ３２以下の動作を繰り返す。
【０１２２】
一方、別のアプリケーション（ここでは電子メールのアプリケーション）が起動している場合は、スケジュール一覧を表示している画面、ここでは第１表示部１１に表示されるカレンダー画面において、何れかの日付に対応する領域が選択されたか否かを確認する（ステップＳ３４）。そして、何れの日付に対応する領域も選択されない場合にはステップＳ３２以下の動作を繰り返す。
【０１２３】
一方、何れかの日付に対応する領域が選択された場合には、選択された日付のスケジュールを読み出して、半透過型のダイアログＤＬに表示する（ステップＳ３５）。
【０１２４】
次に、スケジュール一覧を表示している画面、ここでは第１表示部１１に表示されるカレンダー画面において、何れかの日付に対応する領域が選択されたか否かを確認する（ステップＳ３６）。この場合、ステップＳ３４で選択された日付と同じ日付であれば、先に表示した半透過型のダイアログＤＬは変化しないが、他の日付が選択された場合は、その日付のスケジュールを読み出して、半透過型のダイアログＤＬに表示する。
【０１２５】
一方、何れの日付に対応する領域も選択されない場合にはステップＳ３２以下の動作を繰り返す。
【０１２６】
そして、第１表示部１１から第２表示部１２へのドラッグの有無を検出する（ステップＳ３７）。すなわち第１表示部１１に表示されるダイアログＤＬを第２表示部１２に表示される電子メールの作成画面にドラッグしたか否かを検出し、ドラッグを検出しない場合はステップＳ２２以下の動作を繰り返す。
【０１２７】
ドラッグを検出した場合は、ドラッグ先のアプリケーションがテキストデータを扱えるアプリケーションであるか否かを確認する（ステップＳ３８）。テキストデータを扱えないアプリケーションの場合は、その旨をダイアログに表示するなどしてユーザーに通知し（ステップＳ４０）、ステップＳ３２以下の動作を繰り返す。
【０１２８】
一方、テキストデータを扱えるアプリケーションである場合は、ドラッグしたテキストデータ、ここではスケジュールの内容を、第２表示部１２に表示される電子メールの作成画面に表示し、電子メールのデータとして記録する（ステップＳ３９）。
【０１２９】
＜動作例６＞
次に、図１６および図１７を用いて、携帯無線端末１００におけるスケジュールアプリの動作例６について説明する。
【０１３０】
図１６の（ａ）には、第１表示部１１上に、カレンダー画面を表示した状態を示しており、携帯無線端末１００は、図１に示したように第１表示部１１が露出した状態で、第１筐体１０と第２筐体２０とが互いに重なるように配置された状態となっている。
【０１３１】
図１６の（ａ）に示されるように、第１表示部１１上のカレンダー画面において、５日の日に対応する領域を指ＦＧでロングタップ（通常のタップよりも長い時間タッチして指を離す動作）することで、図１６の（ｂ）に示されるように、カレンダー画面上にメニュー画面（Menu）を示すダイアログＤＬＭが重ねて表示される。このダイアログＤＬＭは、例えば電子メールへの転送（Send Email）、メモ帳への転送（Send Email）、クリップボードへの格納（Copy Agenda）、クリップボードの内容の貼り付け（Paste Agenda）などの項目を含んでいる。
【０１３２】
このようなメニュー画面が表示された状態で、第１筐体１０をスライドさせて第２筐体２０上の第２表示部１２が視認できるようにした場合、例えば、電子メールへの転送を選択する。すると、図１６の（ｃ）に示されるように、第２表示部１２において電子メールの作成画面が表示されるとともに、５日のスケジュールを示すテキストデータがコピーされ、電子メールの作成画面に表示される。
【０１３３】
また、例えば、メモ帳への転送を選択すると、図１６の（ｄ）に示されるように、第２表示部１２においてメモ帳の編集画面が表示されるとともに、５日のスケジュールを示すテキストデータがコピーされ、メモ帳の編集画面に表示される。
【０１３４】
このように、スケジュールアプリに記録されたスケジュールを、電子メールの作成画面、メモ帳の編集画面に少ない操作で転送することができるので、スケジュールを記載する必要がある電子メールの作成やメモ帳の編集を簡便に行うことができる。
【０１３５】
また、スケジュールアプリに記録されたスケジュールを、一旦、クリップボードへ格納し、第２表示部１２に表示したアプリケーションにクリップボードの内容を貼り付けるような操作も簡便に行うことができる。
【０１３６】
図１７は、上述した動作の流れを示すフローチャートである。図１７に示すように、まず、携帯無線端末１００のアプリケーション選択画面からスケジュールアプリを選択してスケジュールアプリを立ち上げる（ステップＳ５１）。
【０１３７】
次に、スケジュールアプリが終了されたか否かを確認し（ステップＳ５２）、スケジュールアプリが終了された場合は動作を終了するが、スケジュールアプリが動作している場合は、デフォルト設定として、現在の月のスケジュール一覧を一方の表示部（ここでは第１表示部１１とする）に表示する。なお、現在の月のスケジュール一覧は、図１６の（ａ）に示されるように、その月のカレンダー画面として示すことが実用的である。
【０１３８】
次に、スケジュール一覧を表示している画面（カレンダー画面）においてロングタップの検出の有無を確認する（ステップＳ５３）。ここでは、カレンダー画面の何れかの日付の領域がロングタップされるか否かを確認する。そして、ロングタップが確認されない場合はステップＳ５２以下の動作を繰り返す。
【０１３９】
一方、何れかの日付の領域でのロングタップを確認した場合は、メニュー画面をダイアログＤＬＭとして表示する（ステップＳ５４）。
【０１４０】
次に、メニュー画面中の何れかの項目が選択されたか否かを確認し（ステップＳ５５）、何れの項目も選択されない場合はステップＳ５２以下の動作を繰り返す。
【０１４１】
一方、メニュー画面中の何れかの項目が選択された場合は、選択された項目に該当するアプリケーションの起動、または選択された項目に該当する動作を実施し、前者の場合は、ロングタップされた日付におけるスケジュールのテキストデータをコピーして、起動したアプリケーションの画面に表示する。また、後者の場合は、ロングタップされた日付におけるスケジュールのテキストデータをクリップボードにコピーし、コピーしたテキストデータを何れかのアプリケーションにおいて貼り付けるなどの動作を行う。
【０１４２】
なお、以上説明したスケジュールアプリの動作例１〜６は、個々に独立したものとして説明したが、１つのスケジュールアプリで上述した動作例１〜６の全てを実現する機能を有した構成とし、それらの中からユーザーが必要な機能を選択（複数の選択も可）して実行させるようにして良いことは言うまでもない。
【符号の説明】
【０１４３】
１１  第１表示部
１２  第２表示部
１３０  制御部
１４０  情報記憶部
【図１】
0005751969.tif 000002
【図２】
0005751969.tif 000003
【図３】
0005751969.tif 000004
【図４】
0005751969.tif 000005
【図５】
0005751969.tif 000006
【図６】
0005751969.tif 000007
【図７】
0005751969.tif 000008
【図８】
0005751969.tif 000009
【図９】
0005751969.tif 000010
【図１０】
0005751969.tif 000011
【図１１】
0005751969.tif 000012
【図１２】
0005751969.tif 000013
【図１３】
0005751969.tif 000014
【図１４】
0005751969.tif 000015
【図１５】
0005751969.tif 000016
【図１６】
0005751969.tif 000017
【図１７】
0005751969.tif 000018